(57)【要約】【課題】尿等の排泄液による悪臭の発生を抑制することができる吸収性物品を提供すること。【解決手段】肌対向面を形成する表面シート２、非肌対向面を形成する裏面シート３及びこれらの間に介在された吸収体４を具備する吸収性本体１０を備える吸収性物品１であって、吸収体４は、第１吸収層５と、該第１吸収層５の非肌対向面側に位置する第１シート７とを有しており、第１シート７は、肌対向面側から非肌対向面側に向かって凹んだ凹部７１を複数有しており、複数の凹部７１のそれぞれに、抗菌剤８が配されている。【選択図】図２
2018099203.tif 000002
【特許請求の範囲】
【請求項１】
肌対向面を形成する表面シート、非肌対向面を形成する裏面シート及びこれらの間に介在された吸収体を具備する吸収性本体を備える吸収性物品であって、
前記吸収体は、第１吸収層と、該第１吸収層の非肌対向面側に位置する第１シートとを有しており、
前記第１シートは、肌対向面側から非肌対向面側に向かって凹んだ凹部を複数有しており、
複数の前記凹部のそれぞれに、抗菌剤が配されている、吸収性物品。
【請求項２】
前記第１シートは、前記凹部間に、裏面側に空隙を有する凸部を有している、請求項１に記載の吸収性物品。
【請求項３】
前記吸収体は、前記第１シートの非肌対向面側に第２シートを有しており、
前記第１シートは、複数の前記凹部それぞれの底部の下面が前記第２シートと接合されている、請求項１又は２に記載の吸収性物品。
【請求項４】
前記吸収性物品は、着用者の股間部に配される股下部を有しており、
前記第１吸収層は、前記股下部に、厚み方向に貫通する貫通孔を有している、請求項１〜３の何れか１項に記載の吸収性物品。
【請求項５】
前記吸収体は、前記第１シートの非肌対向面側に第２吸収層を有している、請求項１〜４の何れか１項に記載の吸収性物品。
【請求項６】
前記抗菌剤は、吸水性ポリマーの表面に付着している、請求項１〜５の何れか１項に記載の吸収性物品。
【請求項７】
前記抗菌剤が付着した前記吸水性ポリマーは、その表面の一部分が、前記第１シートの前記凹部内に接合している、請求項６に記載の吸収性物品。
【発明の詳細な説明】
【技術分野】
【０００１】
本発明は、吸収性物品に関する。
【背景技術】
【０００２】
使い捨ておむつや尿とりパッド等の吸収性物品は、一般に、液透過性の表面シートと、裏面シートとの間に吸収体が配されている。吸収体は、尿等の排泄液を吸収し、外部に漏れ出さないように保持する。
また、尿等の排泄液が発する臭いを低下させるために、消臭剤や抗菌剤を配合した吸収性物品が知られている。
【０００３】
例えば、特許文献１には、透液性の上層シートと、下層シートと、両シートの間に介在する吸収体と、この吸収体を覆うクレープ紙とを備えた吸収性物品であって、前記クレープ紙には、非水溶性であるとともに消臭性または抗菌性の少なくとも一方の性質を有する無機成分が塗工され、この無機成分の塗工量が特定範囲に設定されている吸収性物品が提案されている。
【０００４】
また、消臭とは別の目的で、吸収性物品に液拡散シートを配することが知られている。
例えば、特許文献２には、液透過性シートと、液不透過性シートと、これらの液透過性シートと液不透過性シートとの間に配設された吸収体とを備えた吸収性物品であって、吸収体と液不透過性シートとの間に、該吸収体の長さ方向に延びる液拡散シートが配設されたものが提案されている。また、特許文献３には、表面シートと防漏シートとこれら両シート間に介在する吸液性コアとを有し、吸収性コアが、吸収拡散性シートで被覆されているとともに、吸水性繊維と高吸水性ポリマー粒子とを含む使い捨ておむつが記載されている。
【先行技術文献】
【特許文献】
【０００５】
【特許文献１】特開２００５−０９５３４４号公報
【特許文献２】特開２０１５−０６６３７７号公報
【特許文献３】特開２００２−１６５８３４号公報
【発明の概要】
【発明が解決しようとする課題】
【０００６】
吸収性物品は、使用後に尿等の排泄液によって悪臭が発生することがあり、この悪臭は、吸収性物品の交換時におけるストレスの原因の一つともなっていた。
前述した特許文献１の吸収性物品は、クレープ紙に消臭剤等を特定量添加して、一定の消臭性を有しているものの、悪臭の発生の抑制効果には改善の余地がある。また、特許文献２及び３は、悪臭の発生を抑制するための構成を開示するものではない。
【０００７】
本発明の課題は、従来技術が有する欠点を解決し得る吸収性物品を提供することにある。
【課題を解決するための手段】
【０００８】
本発明は、肌対向面を形成する表面シート、非肌対向面を形成する裏面シート及びこれらの間に介在された吸収体を具備する吸収性本体を備える吸収性物品であって、前記吸収体は、第１吸収層と、該第１吸収層の非肌対向面側に位置する第１シートとを具備しており、前記第１シートは、肌対向面側から非肌対向面側に向かって凹んだ凹部を複数有しており、複数の前記凹部のそれぞれに抗菌剤が配されている、吸収性物品を提供するものである。
【発明の効果】
【０００９】
本発明によれば、尿等の排泄液からの悪臭の発生を効果的に抑制することができる吸収性物品が提供される。
【図面の簡単な説明】
【００１０】
【図１】図１は、本発明の吸収性物品の一実施形態である尿とりパッドの平面状態を示す模式平面図である。
【図２】図２は、図１のＩＩ−ＩＩ線模式断面図である。
【図３】図３（ａ）は、図２に示す尿とりパッドの吸収体を拡大して示す拡大断面図であり、図３（ｂ）は、図３（ａ）の一部を示す断面図である。
【図４】図４は、本実施形態の尿とりパッドの第１シートの横方向に沿う拡大断面図である。
【図５】図５（ａ）〜（ｄ）は、本発明の吸収性物品に採用し得る吸収体の断面構造の例を示す図である。
【発明を実施するための形態】
【００１１】
以下、本発明をその好ましい実施形態に基づき図面を参照しながら説明する。
図１には、本発明の吸収性物品の一実施形態である尿とりパッド１が示されている。
本実施形態の尿とりパッド１は、図２に示すように、肌対向面を形成する表面シート２、非肌対向面を形成する裏面シート３及びこれら両シート２，３間に介在された吸収体４を具備している。尿とりパッド１は、使用状態において着用者の前後方向に一致する縦方向Ｙと、該縦方向Ｙに直交する横方向Ｘとを有する。また尿とりパッド１は、縦方向Ｙに長い形状を有している。また尿とりパッド１は、横方向Ｘの長さを２等分して縦方向Ｙに延びる縦中心線ＣＬｙに対してほぼ左右対称の形状を有している。
【００１２】
尚、本明細書において、肌対向面は、吸収性物品又はその構成部材（例えば吸収体４）における、着用時に着用者の肌側に向けられる面であり、非肌対向面は、吸収性物品又はその構成部材（例えば吸収体４）における、着用時に肌側とは反対側（着衣側）に向けられる面である。
【００１３】
本発明の吸収性物品は、股下部Ｍ、その前後に位置する前方部Ｆ及び後方部Ｒを有している。股下部Ｍは、吸収性物品をその縦方向Ｙにおける全長を３等分して３領域に区分したときの中央の領域であるか、又は図１に示すように、縦方向Ｙにおけるその前後に当該部分より横方向Ｘの長さが長い部分を有する場合の当該部分、即ち括れた部分である。本発明の吸収性物品は、着用者の排泄状況により、尿とりパッドの使用方向を異ならせても良く、前方部Ｆと後方部Ｒは入れ替わっても問題ない。本明細書においては、図１のように括れた部分を股下部Ｍ、該股下部Ｍの一方の端部側に位置し、且つ吸収性物品において横方向Ｘに最大長さを有する部分を後方部Ｒ、及び股下部Ｍの他方の端部側に位置する部分を前方部Ｆと定義する。
本実施形態の尿とりパッド１は、平面状態において、横方向Ｘの長さが短い股下部Ｍと、縦方向Ｙにおいて股下部Ｍの前後に位置し、それぞれ股下部Ｍよりも横方向Ｘの長さが長い前方部Ｆ及び後方部Ｒとを有している。尿とりパッド１等の吸収性物品において、股下部Ｍは、着用時に着用者の液排泄部に対向配置され、前方部Ｆは、着用時に股下部Ｍよりも着用者の腹側に配され、後方部Ｒは、着用時に股下部Ｍよりも着用者の背側に配される。ここでいう「着用時」は、適正な着用位置に配された状態を意味し、適正な着用位置から外れた状態に配されている状態は含まない。ただし、本実施形態の尿とりパッド１を男性が使用する場合、モレを防止するために尿とりパッド１の後方部Ｒを、着用時に股下部Ｍよりも着用者の腹側に、且つ前方部Ｆを股下部Ｍよりも着用者の背側に配されるよう着用してもよい。即ち、女性での前後方向を逆向きに着用してもよい。
【００１４】
本実施形態の尿とりパッド１は、表面シート２、裏面シート３及びこれらの間に介在された吸収体４を有する吸収性本体１０を備えている。吸収性本体１０及び吸収体４は、図１に示すように、尿とりパッド１の平面視において縦方向Ｙに長い縦長の形状をしている。図２に示すように、尿とりパッド１の肌対向面を形成する表面シート２は、吸収体４の肌対向面の全域を被覆している。また、尿とりパッド１の非肌対向面を形成する裏面シート３は、吸収体４の非肌対向面の全域を被覆し、更に吸収体４の縦方向Ｙに沿う両側縁それぞれから横方向Ｘの外方に延出する延出部を有し、その延出部において、後述するサイドシート２６と公知の接合手段によって接合されている。また、表面シート２及び裏面シート３は、それぞれ、吸収体４の縦方向Ｙの両端それぞれから縦方向Ｙの外方に延出し、それらの延出部において公知の接合手段によって互いに接合されている。公知の接合手段としては、例えば、接着剤、ヒートシール、超音波シール、高周波シール等があげられる。
【００１５】
吸収体４は、図３（ａ）に示すように、第１吸収層５と該第１吸収層５の非肌対向面側に位置する第１シート７とを有している。第１吸収層５は、パルプ繊維等の繊維材料を主体として構成されている。第１吸収層５は、パルプ繊維等の繊維材料を含み、吸水性ポリマーを含まないものであっても良いが、吸収能力向上のため、パルプ繊維等の繊維材料に加えて吸水性ポリマーを含むことが好ましい。また、第１吸収層５は、消臭能力向上のため、抗菌剤を含むことが好ましく、抗菌剤が付着した抗菌剤付吸水性ポリマーを含むことがより好ましい。
【００１６】
第１シート７は、図３（ａ）に示すように、第１吸収層５の非肌対向面側に、吸収体４の厚み方向Ｚにおいて第１吸収層５と重なるように配されている。第１シート７は、その縦方向Ｙの長さ及び横方向Ｘの長さが、それぞれ第１吸収層５の縦方向Ｙの長さ及び横方向Ｘの長さと略同じである。また、第１シート７は、少なくとも股下部Ｍに配されていることが好ましく、股下部Ｍから、前方部Ｆ及び後方部Ｒの何れか一方に亘って配されていることがより好ましく、前方部Ｆから後方部Ｒに亘って配されていることが更に好ましい。また、吸収体４の縦方向Ｙの全長に亘って配されていることが更に好ましい。例えば、尿とりパッド１における第１シート７は、平面視して矩形状を有しており、横方向Ｘの長さが、股下部Ｍにおける第１吸収層５の同方向の長さと略一致し、縦方向Ｙの全域にわたって、横方向Ｘの長さが一定である。また、第１シート７は、縦方向Ｙにおける前後端の位置が、吸収体４の縦方向Ｙの前後端の位置と略一致していることも好ましい。第１シート７は、平面視矩形状に代えて、第１吸収層５及び第２吸収層６の一方又は双方と平面視形状が一致していても良い。
【００１７】
本実施形態の尿とりパッド１における吸収体４は、図２に示すように、その肌対向面の全域が、肌対向面側コアラップシート５１によって形成されており、且つその非肌対向面の全域が、非肌対向面側コアラップシート５２により形成されている。これらコアラップシート５１，５２間は、第１吸収層５及び第１シート７の周縁部より外方において、接着剤等の公知の接合手段により互いに接合されている。本実施形態における吸収体４においては、第１吸収層５（以下、上層吸収層５とも呼ぶ）、第１シート７及び第２吸収層６（以下、下層吸収層６とも呼ぶ）を含むコア部が、２枚のコアラップシート５１，５２により被覆されているが、該コア部が、１枚のコアラップシートで被覆されていても良く、コアラップシートで被覆されていなくても良い。吸収体４のコア部は、第１吸収層５、第１シート７及び第２吸収層６を含むものに代えて、第１吸収層５及び第１シート７のみを含み、第２吸収層６を含まないものであっても良い。第１吸収層５は、肌対向面側に位置するコアラップシート５１と、接着剤等の公知の接合手段により接合されていることが好ましい。
【００１８】
第１シート７は、図３（ａ）及び図４に示すように、肌対向面側から非肌対向面側に向かって凹んだ凹部７１を複数有している。また、図３（ａ）及び図４に示すように、複数の凹部７１のそれぞれに、抗菌剤８が配されている。
【００１９】
本実施形態の尿とりパッド１における吸収体４は、図３（ａ）に示すように、第２シート９の非肌対向面側に下層吸収層６を有している。より具体的には、下層吸収層６は、吸収体４の厚み方向Ｚにおいて、上層吸収層５及び第１シート７と重なるように配されている。下層吸収層６の縦方向Ｙの長さ及び横方向Ｘの長さは、それぞれ上層吸収層５及び第１シート７の縦方向Ｙの長さ及び横方向Ｘの長さと略同じである。また、下層吸収層６は、その厚みが、上層吸収層５の厚みより薄くても厚くてもよい。このように、吸収体４は、第１シート７の非肌対向面側に下層吸収層６を有していることが吸収能力向上のため、好ましい。
【００２０】
本実施形態における下層吸収層６は、上層吸収層５と同様に、パルプ繊維等の繊維材料を主体として構成されている。下層吸収層６も、パルプ繊維等の繊維材料を含み、吸水性ポリマーを含まないものであっても良いが、吸収能力向上のため、パルプ繊維等の繊維材料に加えて吸水性ポリマーを含むものであっても良い。下層吸収層６は、上層吸収層５と同様に、抗菌剤８を含んで構成されていても良く、抗菌剤付吸水性ポリマー８１を含んで構成されていても良い。下層吸収層６は、非肌対向面側に位置するコアラップシート５２と接着剤等の公知の接合手段により接合されていることが好ましい。
【００２１】
本実施形態の尿とりパッド１における吸収体４は、凹部７１を有する第１シート７を具備するため、吸収した液の拡散性に優れており、吸収体４に吸収された排泄液が、第１シート７の凹部に沿って吸収体４中を速やかに拡散して、速やかに第１シート７の凹部に配された抗菌剤と接触する。しかも、第１シート７の凹部７１に抗菌剤８が配されており、平坦なシートに抗菌剤を配した場合に比して、排泄液を広い面積において、抗菌剤と接触させることができる。
そのため、排泄液中の細菌や排泄中や排泄後に吸収体に混入した細菌等が、吸収体中で増殖すること、及びそれによる悪臭の発生を効果的に抑制することができる。
なお、第１シート７により吸収体４中の液の拡散性が向上するのは、以下の理由による。
すなわち、排泄液は、凹部７１の凹部面によって構成された導水路によって、尿とりパッド１における吸収体４の前後方向に素早く拡散させることが出来る。製品の幅方向のほぼ中央部に排泄された液は、徐々に幅方向に広がって行くが、幅方向に凹部７１が複数存在するため、次々に吸収体４の前後方向に液を拡散することができる。
【００２２】
上記の効果をより確実に奏させる観点から、吸収体４中において第１シート７は、以下の構成を有することが好ましい。
凹部７１の深さＨ１（図４参照）は、好ましくは０．８ｍｍ以上、より好ましくは１.２ｍｍ以上であり、また好ましくは１０ｍｍ以下、より好ましくは８ｍｍ以下であり、また好ましくは０．８ｍｍ以上１０ｍｍ以下、より好ましくは１．２ｍｍ以上８ｍｍ以下である。凹部７１の深さＨ１は、図４に示すように、凹部７１の内方端部７１ｃから、第１シート７の最も肌対向面側に位置する部分７２ｂまでの距離（高低差）であり、厚み方向Ｚに沿って測定する。本実施形態において第１シート７の最も肌対向面側に位置する部分７２ｂは、後述する凸部７２の頂部７２ｂである。深さＨ１を測定する場合は、製品を幅方向で切断し、凹凸がつぶれないように注意しながら光学顕微鏡を用いて測定する。
本実施形態の尿とりパッド１においては、図３に示すように、第１シート７の非肌対向面側に第２シート９を有しており、第１シート７は、複数の凹部７１それぞれの底部の下面７１ｄが、第２シート９と接合されている。
第１シート７の複数の凹部７１の底部の下面７１ｄが第２シート９と接合されている場合、個々の凹部７１における、第２シート９と接合されている底部の下面７１ｄの横方向Ｘの長さＷ１（図４参照）は、好ましくは０．１ｍｍ以上、より好ましくは０．２ｍｍ以上であり、また好ましくは３ｍｍ以下であり、また好ましくは０．１ｍｍ以上３ｍｍ以下、より好ましくは０．２ｍｍ以上３ｍｍ以下である。
【００２３】
前述の通り、第１シート７の複数の凹部７１のそれぞれに、抗菌剤８が配されている。凹部７１に抗菌剤８を配する方法としては、例えば、第１シート７の肌対向面側の面に抗菌剤８を直接塗布し、その塗布面の上に上層吸収層５を重ね合わせる方法や、抗菌剤８を含有する上層吸収層５を、抗菌剤８を含有する部分が第１シート７の凹部７１に入り込むように、第１シート７上に重ね合わせる方法等が挙げられる。抗菌剤８の有無については、第１シート７を切り出し、ＪＩＳ１９０２（繊維製品の抗菌性試験方法）を実施して確認する。
【００２４】
本実施形態の第１シート７は、図３（ａ）に示すように、第１シート７の肌対向面側の凹部７１に、吸水性ポリマーの少なくとも表面に抗菌剤８が付着した抗菌剤付吸水性ポリマー８１が配されている。このように、抗菌剤を、吸水性ポリマーに付着した状態で、凹部７１に配することは、排泄液が、吸水性ポリマーに吸収される際に、該吸水性ポリマーに付着した抗菌剤を効率的に菌に接触させることができるので、腐敗臭の発生抑制の観点から好ましい。
吸水性ポリマーに抗菌剤８を付着させる方法としては、特に制限されず、抗菌剤を溶媒や分散媒に溶解又は分散させた液をスプレー等により塗布した後、乾燥させ、吸水性ポリマーの接着力あるいは液中の共存させた粘着剤成分の粘着力を用いて付着させることができる。
抗菌剤８の添加量は、吸水性ポリマーに対して、好ましくは０．００５質量％以上、より好ましくは０．０２質量％以上であり、また好ましくは１．２質量％以下、より好ましくは０．８質量％以下である。
【００２５】
本実施形態における第１シート７においては、図４に示すように、抗菌剤付吸水性ポリマー８１は、その表面の一部分が、第１シート７の凹部内に接合している。そのため、尿とりパッド１の流通段階や着用時に、抗菌剤付吸水性ポリマー８１が凹部７１外に移動することを抑制することができ、即ち、抗菌剤の移動を防止することができ所定の位置に抗菌剤付吸水性ポリマー８１が配されることで悪臭の発生抑制効果が一層確実に奏される。このように、第１シートの凹部７１は、抗菌剤８と付着した吸水性ポリマーと部分的に接合していることが好ましい。抗菌剤付吸水性ポリマー８１が、その表面の一部分を、第１シート７の凹部７１と接合した状態とするには、例えば、吸水性ポリマーに、抗菌剤を溶媒や分散媒に溶解又は分散させた液をスプレー等により付着させた状態で、第１シート７と接触させ、その状態で乾燥させる方法、第１シート７に接着剤をスプレー等により塗布しておき、その塗布面上に、抗菌剤付吸水性ポリマー８１を散布する方法等の任意の方法を用いることができる。
【００２６】
吸収性物品の吸収性コア中の吸水性ポリマーが、抗菌剤を有している（抗菌剤付吸水性ポリマーである）か否かの確認は下記方法で行うことができる。
まず、コールドスプレーにより吸収性物品の構成部材どうしを接合している接着材を弱化し、構成部材を丁寧に剥がして吸収性コアを取り出す。取り出した吸収性コアを粗いふるい（目開き８５０μｍ）にかけて吸水性ポリマーを含む画分を採取する。採取した画分をスクリュー管などのガラス製円筒容器に入れて回転させると、パルプなどの繊維材料と吸水性ポリマーとは比重の違いにより、繊維材料は上層に、吸水性ポリマーは下層に選別される。こうして選別された吸水性ポリマーに対し抗菌剤抽出処理を施す。即ち、メタノールを溶媒として吸水性ポリマーを投入し、その溶媒に対して超音波による振動と撹拌を行った後、該溶媒の上澄み液を溶媒系フィルター（関東化学株式会社製、ＰＴＦＥ樹脂製、孔径０．４５μｍ、２５ｍｍφ）でろ過し、そのろ液中の溶媒を揮発させて固形分を得る。この固形分を、液体クロマトグラフィーなどの公知の分析手段を用いて、単一の化合物を得るように分離する。得られた化合物を、赤外吸収分光法、核磁気共鳴分光法などの周知の分析手段を用いて、どのような化学構造を有するものかを特定する。特定した化学構造を有する剤を標準物質とし、ガスクロマトグラフィー、液クロマトグラフィーなどの周知の分析手段を用いて検量線から抗菌剤量を定量する。
【００２７】
第１シート７の個々の凹部７１内には、少なくとも抗菌剤８が配されていれば良い。一方、凹部７１の内部に繊維材料や吸収性ポリマーが入り込んでおらず空洞を形成していても良いが、本実施形態においては、凹部７１の内部には、図３（ａ）に示すように、上層吸収層５を構成する繊維材料及び吸水性ポリマーが入り込んでいる。より具体的には、凹部７１に沿って抗菌剤８が付着した抗菌剤付吸水性ポリマー８１が配されている他に、凹部７１の内部に上層吸収層５を構成するパルプ等の繊維材料が入り込んでいる。斯かる構成により、吸水性ポリマーによるゲルブロッキングが防止され、吸収体４内に通気性が確保され、吸収効率を高めることができる。このように、凹部７１の内部には、上層吸収層５を構成する吸水性ポリマー８１と繊維材料とが混在状態で含まれており、且つ吸水性ポリマー８１と繊維材料とが、凹部７１の内部に接合していることが好ましい。さらに上層吸収層５を構成する吸水性ポリマー８１は抗菌剤付吸水性ポリマーであっても良い。
【００２８】
本実施形態の第１シート７においては、横方向Ｘに並んだ複数の凹部７１が、それぞれ縦方向に延びた形状を有している。より具体的には、複数の凹部７１は、それぞれ、前方部Ｆから股下部Ｍを介して後方部Ｒまで、縦方向Ｙに延びた状態で形成されている。排泄液を、速やかに吸収体４に吸収させ、拡散させて広い範囲で抗菌剤に接触させる観点から、抗菌剤が配された凹部７１は、少なくとも股下部Ｍに形成されていることが好ましく、股下部Ｍから、前方部Ｆ及び後方部Ｒの何れか一方に亘って形成されていることがより好ましく、前方部Ｆから後方部Ｒに亘って形成されていることが更に好ましい。また、吸収体４の縦方向Ｙの全長に亘って形成されていることが更に好ましい。
【００２９】
本実施形態の第１シート７における凹部７１は、前方部Ｆから後方部Ｒに亘って縦方向Ｙに連続的に延びている。凹部７１は、縦方向Ｙに連続的に形成されていることが好ましいが、断続的に形成されていても良い。凹部７１が断続的に形成されているとは、複数の小凹部が縦方向Ｙに並んで形成されていることを指す。凹部７１が断続的に形成されている場合、個々の小凹部は、それぞれの横方向Ｘの長さよりも縦方向Ｙの長さが長い縦長の平面視形状を有していることが好ましい。
【００３０】
本実施形態の第１シート７は、凹部７１間に、裏面側が凹部となっている凸部７２を有している。具体的には、図４に示すように、隣り合う凹部７１の間に、裏面側が空隙となっている凸部７２を有している。斯かる構成により、第１シート７に沿って排泄液を一層速やかに拡散することができ、排泄液と抗菌剤８との接触効率をより高めることができる。このように、第１シート７は、凹部７１間に、裏面側に空隙を有する凸部を有していることが好ましい。第１シート７の裏面とは、非肌対向部側の面を指す。また、空隙とは、第１シート７の凸部７２の間隙７２ａである。
【００３１】
悪臭の発生抑制効果等が一層確実に奏されるようにする観点から、第１シート７の凸部７２の寸法等は、以下の範囲であることが好ましい。
横方向Ｘに隣り合う凸部７２の間隔Ｐ１（図４参照）は、好ましくは１．５ｍｍ以上、より好ましくは２ｍｍ以上であり、また好ましくは１０ｍｍ以下、より好ましくは８ｍｍ以下であり、また好ましくは１．５ｍｍ以上１０ｍｍ以下、より好ましくは２ｍｍ以上８ｍｍ以下である。横方向Ｘに隣り合う凸部７２の間隔Ｐ１（図４参照）は、横方向Ｘに隣り合う凸部７２の頂部７２ｂどうし間の長さである。
また、横方向Ｘにおける凸部７２の長さＷ２（図４参照）は、好ましくは１ｍｍ以上、より好ましくは１．５ｍｍ以上であり、また好ましくは１０ｍｍ以下、より好ましくは８ｍｍ以下である。横方向Ｘに隣り合う凸部７２の間隔Ｐ１（図４参照）は、横方向Ｘに隣り合う凸部７２の頂部７２ｂどうし間の長さである。
横方向Ｘおける凸部７２の長さＷ２とは、第１シート７の凹部下面７２ｄが、第２シート９と接合されている場合、第１シート７における第２シート９と接合されている凹部下面７１ｄどうし間の距離であり、第１シート７の凹部下面７１ｄが第２シート９と接合されていない場合は、第１シート７の凹部下面７１ｄの凹部の最も非肌対向面側に位置する部位７１ｂ間の距離とする。
また、凸部７２内の間隙７２ａの厚さＨ３（図４参照）は、好ましくは０．８ｍｍ以上、より好ましくは１．２ｍｍ以上であり、また好ましくは１０ｍｍ以下、より好ましくは８ｍｍ以下である。凸部７２内の間隙７２ａの厚さＨ３は、厚み方向Ｚにおける凸部７２の内方端部７２ｃから、凹部７１の最も非肌対向面側の部位７１ｂまでの長さである。
【００３２】
本実施形態において抗菌剤８は、図３（ａ）に示すように、上層吸収層５の肌対向面側の部分よりも第１シート７の凹部７１内に多く配されている。そのため、排泄液と抗菌剤との接触効率を一層高めることができる。このように、第１シート７は、凹部７１に配されている抗菌剤８の密度が、上層吸収層５の肌対向面側の部分に配されている抗菌剤８の密度よりも高いことが好ましい。ここで、上層吸収層５の肌対向面側の部分とは、厚み方向Ｚにおける上層吸収層５の厚みＨ５〔図３（ｂ）参照〕に対して、該上層吸収層５の上端から５０％の範囲の部分である。この部分を以下では上層吸収層５の上部５ａともいう。上層吸収層５の厚みＨ５〔図３（ｂ）参照〕とは、該上層吸収層５の上端から、第１シート７の最も肌対向面側に位置する部分７２ｂまでの高さである。抗菌剤８は、例えば、第１シート７の肌対向面側の面に抗菌剤８を直接散布することで、凹部７１に配することができる。
【００３３】
凹部７１に配されている抗菌剤８の密度、及び上層吸収層５の上部５ａに配されている抗菌剤８の密度差は、吸収体４をカットし電子顕微鏡写真や光学写真によって、抗菌剤８（抗菌剤付吸水性ポリマー）の面積比によって比較することが出来る。
【００３４】
また本実施形態における上層吸収層５は、図３（ａ）に示すように、上部５ａよりも下部５ｂに吸水性ポリマー８１が多く配されている。ここで上層吸収層５の下部５ｂは、上記の上部５ａを除いた部分である。斯かる構成により、第１シート７の凹部７１に上層吸収層５の下部５ｂの吸水性ポリマー８１とパルプ等の繊維材料を容易に入り込ませることができる。このように、上層吸収層５は、下部５ｂにおける吸水性ポリマーの密度が、上部５ａよりも大きいことが好ましい。このような構成を具備する上層吸収層５は、その製造時に下部５ｂの吸水性ポリマーの密度が高くなるよう、繊維材料と吸水性ポリマーとを混合積繊することにより得られる。後述する下層吸収層６においても、下部６ｂにおける吸水性ポリマーの密度が、上部６ａよりも大きいことが好ましい。この下層吸収層６における上部６ａ及び下部６ｂは、上層吸収層５における上部５ａ及び下部５ｂと同じ構成である。即ち、下層吸収層６の上部６ａは、厚み方向Ｚにおける下層吸収層６の厚みＨ６〔図３（ｂ）参照〕に対して、該下層吸収層６の上端から５０％の範囲の部分である。
また、第１シート７の凹部７１に、粒子径の小さい吸収性ポリマーを多く散布し、その上に上層吸収層５を重ね接合することで、上記の上層吸収層５を得ることができる。
【００３５】
本実施形態の吸収体４は、図３（ａ）に示すように、第１シート７の非肌対向面側に第２シート９を有している。この第２シート９は、図３（ａ）に示すように、凹凸がないか、第１シート７に比して凹凸の程度が顕著に小さいシートであり、好ましくは平坦なシートである。第２シート９は、第１シート７における凹部７１の底部の下面７１ｄと、接着剤や熱接着、超音波接着等の公知の接合手段により接合されている。斯かる構成により、凹部７１の剛性を向上させ、凹部７１をより潰れ難くすることができ、液の拡散性向上効果や、通気性の向上による嫌気性菌の増殖抑制効果が一層確実に奏される。このように、吸収体４は、第１シート７の非肌対向面側に位置する第２シート９を有しており、第１シート７の凹部７１の底部の下面７１ｄと、第２シート９とが接合されていることが好ましい。この際、第２シート９は、横方向Ｘの数個所において、第１シート７の凹部７１の底部の下面７１ｄと間欠的に接合していることが好ましい。
【００３６】
第２シート９には、第１シート７と同様に、抗菌剤８が配されていても良い。抗菌剤８は、上述したように吸収性ポリマーの表面に付着した状態で配されていても良い。また、第２シート９の、肌対向面及び非肌対向面のどちらにも抗菌剤８を配することができるが、下層吸収層６との接触しやすさの観点から、非肌対抗面に抗菌剤８を配することが好ましい。第２シート９には、肌対向面及び非肌対向面の何れかに抗菌剤８を散布することで、抗菌剤８を配することができる。抗菌剤８の散布前後で、第２シート９に接着剤を塗布すると、抗菌剤８を接合することができるため好ましい。
【００３７】
本実施形態の上層吸収層５は、図３（ａ）に示すように、股下部Ｍに、厚み方向Ｚに貫通する貫通孔５０を複数有している。そして、貫通孔５０を含めて、繊維材料の存在しない部分が、第１シート７の下端、即ち凹部７１の底部７１ａまで達している。
上層吸収層５が貫通孔５０を有することにより、排泄液を、素早く吸収体４内に取り込ませることができ、第１シート７に沿う液の拡散、及び抗菌剤との接触による悪臭発生抑制効果を一層効率的に発現させることができる。上層吸収層５は、着用者の股間部に配される股下部Ｍに、厚み方向Ｚに貫通する貫通孔５０が設けられていることが好ましい。本実施形態の貫通孔５０は、第１シート７の凹部７１の底部７１ａまで貫通したものであるが、第１シート７の凸部７２の頂部７２ｂまで貫通したものであっても良い。
尚、上層吸収層５は、股下部Ｍが吸収性物品の縦方向Ｙにおける全長を３等分して３領域に区分したときの中央の領域である場合においても、該股下部Ｍに貫通孔５０を有していることが好ましい。
【００３８】
上記の効果をより確実に奏させる観点から、横方向Ｘにおける貫通孔５０の幅Ｗ５〔図３（ａ）参照〕は、好ましくは５ｍｍ以上、より好ましくは７．５ｍｍ以上であり、また好ましくは３０ｍｍ以下、より好ましくは２５ｍｍ以下である。
また、縦方向Ｙにおける貫通孔５０の長さＬ５（図１参照）は、好ましくは７０ｍｍ以上、より好ましくは９０ｍｍ以上、また好ましくは３５０ｍｍ以下、より好ましくは３００ｍｍ以下である。
【００３９】
上層吸収層５に設けられる貫通孔５０は、図１に示すように、複数あることが好ましく、好ましくは１個以上、より好ましくは２個以上であり、好ましくは５個以下、より好ましくは４個以下である。吸収性物品装着時に排泄部での排泄液吸収の吸収速度を高め、拡散性を高める観点から、貫通孔５０は、少なくとも股下部Ｍに配されていることが好ましく、股下部Ｍから前方部Ｆ及び後方部Ｒの何れか一方に亘って配されていることがより好ましく、前方部Ｆから後方部Ｒに亘って配されていることがさらに好ましい。また、貫通孔５０は、図１に示すように、少なくとも尿とりパッド１を横方向Ｘに二等分する縦中心線ＣＬｙの両側それぞれに配されていることが好ましい。
貫通孔５０の平面視形状は特に制限されず、矩形状、円形状、楕円状、多角形状等の任意の形状とすることができる。
【００４０】
下層吸収層６は、図５（ｄ）に示すように、上層吸収層５における貫通孔５０と同様の構成の貫通孔６０を有していることが好ましい。横方向Ｘにおける下層吸収層６の貫通孔６０の長さＷ６は、上層吸収層５の貫通孔５０の長さＷ５と同じ範囲であることが好ましい。
また、図５（ｄ）に示すように、上層吸収層５及び下層吸収層６の両層は、それぞれ貫通孔５０，６０を有しており、それらの貫通孔５０，６０が、横方向Ｘにおいてそれぞれの両側縁の位置が一致するように重なっている。上層吸収層５の貫通孔５０と下層吸収層６の貫通孔６０とは、少なくとも部分的に重なっていることが、排泄液の拡散性を一層向上させることができる観点から、好ましい。
【００４１】
吸収体４の構成は、吸収性物品の製品形態等に応じて適宜変更可能である。
例えば、図５（ａ）に示す吸収体４は、第１吸収層５及び抗菌剤が配された第１シート７を具備している。このような形態の吸収体４は、例えば薄型の尿とりパッドに好ましく用いることができる。
また、図５（ｂ）に示す吸収体４は、第１吸収層５、抗菌剤が配された第１シート７、及び第２シート９を具備しており、第２吸収層６を備えていない。この第１吸収層５は、複数の貫通孔５０を有している。このような形態の吸収体４は、例えば吸収量が比較的少ない尿とりパッド（例えば排泄液の吸収容量１５０ｃｃ）や軽失禁パッドに好ましく用いることができる。
【００４２】
また、図５（ｃ）に示す吸収体４は、上層吸収層５、抗菌剤が配された第１シート７、第２シート９、及び下層吸収層６を具備している。この上層吸収層５は、図３（ｂ）に示した吸収体４と同様に貫通孔５０を複数有しているが、貫通孔５０は無くすこともできる。このような形態の吸収体４は、例えば排泄液の吸収量の目安が３００ｃｃ〜６００ｃｃの尿とりパッドに好ましく用いることができる。
さらに、図５（ｄ）に示す吸収体４は、上層吸収層５、抗菌剤が配された第１シート７、第２シート９、及び下層吸収層６を具備している。この上層吸収層５及び下層吸収層６は、複数の貫通孔５０，６０を有している。このような形態の吸収体４は、例えば排泄液の吸収量の目安が６００ｃｃ〜１５００ｃｃの尿とりパッドに好ましく用いることができる。
【００４３】
図５（ａ）〜図５（ｄ）に示す吸収体４は、図３（ｂ）に示した吸収体４と同様のコアラップシート５１，５２を備えたものであることが好ましいが、肌対向面側に位置するコアラップシート又は非肌対向面側に位置するコアラップシートを有しないものであっても良く、肌対向面側に位置するコアラップシート及び非肌対向面側に位置するコアラップシートを有しないものであっても良い。
【００４４】
本実施形態の尿とりパッド１について更に説明すると、図１及び図２に示すように、吸収性本体１０の縦方向Ｙに沿う左右両側部には、少なくとも股下部Ｍにおいて着用時に着用者の肌側に向かって起立する一対の防漏カフ１６，１６が設けられている。防漏カフ１６は、吸収性本体１０側を基端とし着用者の肌側に自由端をなすように起立するものであり、その自由端には縦方向Ｙに沿って弾性部材１６ｃが伸長状態で配されている。弾性部材１６ｃは、少なくとも股下部Ｍの縦方向Ｙの全長に亘り、本実施形態では更に、前方部Ｆ及び後方部Ｒそれぞれの股下部Ｍ寄りの部分にも亘っている。
防漏カフ１６は、弾性部材１６ｃに加えて更に、縦方向Ｙに一定の幅を有する１枚のサイドシート２６を含んで構成されており、該サイドシート２６は、図２に示すように、横方向Ｘにおいて吸収性本体１０の外方へ延出している。
【００４５】
尿とりパッド１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液難透過性でも液透過性でも良く、例えば液難透過性の裏面シートとしては透湿性を有しない樹脂フィルムや、微細孔を有し、透湿性を有する樹脂フィルム、撥水不織布等の不織布、これらと他のシートとのラミネート体等を用いることができ、液透過性の裏面シートとしては表面シートと同様のものを用いることができる。また、裏面シート１２として、液難透過性のシートと、液透過性のシート（例えば不織布）との積層体を用いることもできる。
【００４６】
上層吸収層５及び下層吸収層６の構成材料としては、当該技術分野において従来用いられている各種のものを特に制限なく用いることができ、例えば、木材パルプ等の天然セルロース繊維、親水性合成繊維等の繊維材料；粒子状、繊維状等の所定形状の吸水性ポリマー等が挙げられ、これらの１種を単独で又は２種以上を組み合わせて用いることができる。上層吸収層５及び下層吸収層６は、パルプ等の繊維材料及び吸水性ポリマーを含んで構成されていることが好ましく、これらに加えて抗菌剤を含んで構成されていることがより好ましい。抗菌剤は、上述したように、吸収性ポリマーの表面に付着した状態であることが好ましい。
【００４７】
上層吸収層５の坪量は、好ましくは１００ｇ／ｍ２以上、より好ましくは１５０ｇ／ｍ２以上、また好ましくは４００ｇ／ｍ２以下、より好ましくは３５０ｇ／ｍ２以下である。
下層吸収層６の坪量は、好ましくは２００ｇ／ｍ２以上、より好ましくは２５０ｇ／ｍ２以上、また好ましくは７００ｇ／ｍ２以下、より好ましくは６５０ｇ／ｍ２以下である。
上層吸収層５と下層吸収層６とは、坪量が同じでも異なっていても良い。
【００４８】
また、上層吸収層５と下層吸収層６とは、組成が同じでも異なっていても良く、後者の場合、上層吸収層５と下層吸収層６とで尿等の排泄液に対する機能を異ならせることができる。例えば、上層吸収層５は、木材パルプが吸水性ポリマーよりも多く含有されているようにし、下層吸収層６は、吸水性ポリマーが木材パルプがよりも多く含有されているようにすると、上層吸収層５は液拡散機能、下層吸収層６は液保持機能に優れるようになり、上層吸収層５では主として液拡散、下層吸収層６では主として液保持というような機能分担が可能となる。
【００４９】
上層吸収層５における木材パルプ等の繊維材料と吸水性ポリマーとの含有質量比（繊維材料／吸水性ポリマー）は、好ましくは１以上、より好ましくは１．５以上、また好ましくは６以下、より好ましくは５．５以下である。
下層吸収層６における木材パルプ等の繊維材料と吸水性ポリマーとの含有質量比（繊維材料／吸水性ポリマー）は、好ましくは０．６５以上、より好ましくは０．８以上、また好ましくは４以下、より好ましくは３．５以下である。
【００５０】
肌対向面側コアラップシート５１及び非肌対向面側コアラップシート５２としては、それぞれ、液透過性のシートを用いることができ、例えば、ティッシュペーパー等の紙や各種不織布、メッシュシート、開孔フィルム等を用いることができる。これら各シート５１，５２の坪量は、好ましくは８ｇ／ｍ２以上３０ｇ／ｍ２以下である。
【００５１】
第１シート７としては、繊維集合体からなるシート、例えば各種製法によって得られた不織布等を好ましく用いることができる。不織布としては、例えば、カード法又はエアレイド法により得た繊維ウエブにエアスルー法で繊維どうしの熱融着点を形成したエアスルー不織布、カード法により得た繊維ウエブにヒートロール法で繊維どうしの熱融着点を形成したヒートロール不織布、ヒートエンボス不織布、スパンレース不織布、ニードルパンチ不織布、レジンボンド不織布等の種々の不織布を用いることができる。特に、エアスルー不織布やヒートロール不織布を用いることが好ましい。また、第１シート７として、親水性の不織布を用いることが好ましい。第１シート７の親水性は、親水化剤を施す量や、親水化剤の種類によって調整することができる。さらに、第１シート７として、凹凸形状を有する不織布を用いることが好ましい。
第１シート７の凹部７１及び凸部７２は、任意の方法によって凹凸形状に変形させた状態の第１シート７を、その状態を維持しつつ第２シート９と部分的に接合させる方法、各種の不織布に、互いに噛み合う加熱された一対のロール間に挿通する方法、各種の不織布に、エンボス加工を施す方法等、各種公知の方法によって形成することができる。
【００５２】
第１シート７の剛性と通液性の観点から、第１シート７の繊度は、原料の段階で、好ましくは１ｄｔｅｘ以上、より好ましくは１．５ｄｔｅｘ以上であり、好ましくは６ｄｔｅｘ以下、より好ましくは５ｄｔｅｘ以下である。
【００５３】
第２シート９としては、繊維集合体からなるシート、例えば各種製法によって得られた不織布等を好ましく用いることができる。不織布としては、例えば、上記の第１シート７と同様、各種製法によって得られた不織布を用いることができる。特に、スパンボンド不織布、エアスルー不織布、スパンレース不織布を用いることが好ましい。また、第２シート９としては、熱可塑性の合成パルプや、パルプを含む吸水紙であっても良い。
【００５４】
第２シート９として、親水性の不織布を用いることが好ましいが、液の拡散性を高める観点から第２シート９は、親水性が、第１シート７よりも高いことが好ましい。この親水性の高低は、クレム吸水法に基づき測定したクレム吸水高さを対比して決定する。クレム吸水高さの測定は、ＪＩＳＰ８１４１の紙及び板紙−吸水度試験方法−クレム法に順じて実施しているが、測定方向は、各シートの長手方向のみを計測している。試験片は幅１５ｍｍの２ヶ所から採取して計測し、平均値を用いる。また、第２シート９の構成材料は、親水性が、パルプよりも低いことが好ましい。このパルプとしては、架橋化パルプ、酸性化パルプ、マーセル化パルプ等を用いることができる。
【００５５】
抗菌剤８としては、最近の増殖を抑制可能なものを特に制限無く用いることができ、臭いの発生源を絶つ作用をするもの、即ち臭気発生原因の肌常在菌や腸内細菌、これらの細菌由来の酵素の増殖を抑える作用を奏するものが好ましい。例えば、尿臭の発生に関わる細菌の増殖、生育を抑制又は死滅させる無機系抗菌剤、有機系抗菌剤等が挙げられる。
無機系抗菌剤の具体例としては、例えば、銀、亜鉛、銅、マグネシウム、カルシウム、アルミニウム、アンチモン、ビスマスの抗菌性金属イオン又は塩等を担体である、ゼオライト、シリカゲル、低分子ガラス、リン酸カルシウム、リン酸ジルコニウム、ケイ酸塩、酸化チタンに担持させた微粒子粉末または針状結晶が挙げられる。
有機系抗菌剤の具体例としては、ピロクトンオラミン［１−ヒドロキシ−４−メチル−６−（２，４，４−トリメチルペンチル）−２（１Ｈ）−ピリドンモノエタノールアミン塩］（商品名：オクトピロックス）、オレイン酸Ｋ、１−ペンタスルホン酸Ｎａ、１−デカンスルホン酸Ｎａ、ブチルナフタレンスルホン酸Ｎａ、ドデシル硫酸Ｎａ、ドデシルベンゼンスルホン酸Ｎａ、およびヘキサデシル硫酸Ｎａ等の陰イオン界面活性剤、セチルリン酸ベンザルコニウム、塩化ベンゼトニウム、塩化ベンザルコニウム、塩化セチルピリジニウム等の陽イオン界面活性剤、塩酸クロルヘキシジン、グルコン酸クロルヘキシジン、トリクロカルバン、トリクロサン、ハロカルバン及びパラオキシ安息香酸エステル等が挙げられる。
これらの抗菌性物質は単独で用いても、又は２種以上を混合して用いてもよい。特に、抗菌効果と吸収性能の観点から、ピロクトンオラミン、セチルリン酸ベンザルコニウム、塩化ベンゼトニウム、塩化ベンザルコニウム、塩化セチルピリジニウムなどの第四級アンモニウム塩型の界面活性剤が好ましく、とりわけ、ピロクトンオラミン、セチルリン酸ベンザルコニウムが好ましい。
【００５６】
防漏カフ１６を構成するサイドシート２６としては、当該技術分野において従来用いられている各種のものを特に制限なく用いることができ、例えば、例えば、撥水性の不織布（スパンボンド・メルトブローン・スパンボンド不織布（いわゆるＳＭＳ、ＳＭＭＳ，ＳＳＭＭＳ不織布）、スパンボンド・メルトブローン不織布（ＳＭ不織布）、スパンボンド不織布）、樹脂フィルム製のシート、不織布と樹脂フィルムとのラミネート体等を用いることができる。また、防漏カフ形成用弾性部材２５としては、当該技術分野において従来用いられている各種のものを特に制限なく用いることができ、糸状でも帯状またはフィルム状でも良い。
【００５７】
本発明の吸収体４の製造方法について説明する。本発明の吸収体４は、吸収性物品の製造に従来用いられている公知の製造装置を特に制限なく用いることができる。例えば、上層吸収層５及び下層吸収層６は、所定形状の混合繊維体を製造するドラム式積繊装置によって製造することができる。具体的には、ダクトを介して飛散状態で供給されるパルプ等の繊維材料や抗菌剤を、積繊ドラムの外周面の凹部に吸引体積させることで、所定形状の混合繊維からなる堆積物を製造することができる。この際、抗菌剤が上層吸収層５の肌対向面側よりも非肌対向面側に多く配されるように、上層吸収層５の非肌対向面側寄りの層に、抗菌剤を含有した混合繊維を吸引堆積させることが好ましい。例えば、上層吸収層５の肌対向面側から非肌対向面側にかけて抗菌剤の含有量が漸次大きくなるように、抗菌剤の含有量が異なる混合繊維を順次吸引体積させても良い。抗菌剤は、上述のように、吸水性ポリマーに付着させた状態で、繊維材料と混合積繊されることが好ましい。
【００５８】
また、繊維材料のみを空気流に乗せて供給し、該繊維材料を吸引堆積させて堆積体を得た後、その堆積体に、抗菌剤を散布する方法もある。散布される抗菌剤は、上述のように、吸水性ポリマーに付着させた状態で散布されることが好ましい。下層吸収層６も、上記と同様にドラム式積繊装置によって製造することができる。
このようにして得られた上層吸収層５及び下層吸収層６には、上述の貫通孔５０，６０を設けることが好ましい。貫通孔５０，６０は、積繊装置の凹部に繊維材料等を堆積させる際に一部に堆積しない部分を設ける方法や、積繊装置の凹部から離型した繊維材料等の堆積物に、打ち抜きや切り抜き等により貫通孔５０，６０を形成する方法等の各種公知の方法によって形成することができる。
【００５９】
また、本発明の吸収体４は、第１シート７の肌対向面側の面に抗菌剤を直接散布し、第１シート７の抗菌剤散布面上に、上層吸収層５を重ね合わせて接合することによって、製造することもできる。抗菌剤の散布方法は、従来公知の方法を用いることができるが、スロットスプレー法、カーテンスプレー法、スパイラルスプレー法、コーター法、ストライプコーター法を用いることが好ましい。また、第１シート７の抗菌剤散布面に、ホットメルト接着剤を塗布することが好ましい。この接着剤の塗布は、抗菌剤の散布前に行っても良いし、散布後に行っても良い。ホットメルト接着剤の塗布量は、好ましくは２ｇ／ｍ２以上１５ｇ／ｍ２以下である。接着剤は、抗菌剤散布面の全面に塗布しても良く、ストライプ状等のように部分的に塗布しても良い。
本発明においては、上層吸収層５等の吸収体４における各構成部材を接着剤等の公知の手段を用いて接合することができる。
【００６０】
以上、本発明の各構成部材を、本発明の好ましい実施形態である尿とりパッド１に基づき説明したが、本発明は前記実施形態に制限されない。例えば、前記実施形態では、本発明の吸収性物品の適用例の一つとしていわゆる尿とりパッド１を挙げたが、展開型の使い捨ておむつ、パンツ型の使い捨ておむつ、生理用ナプキン等にも適用することができる。
【実施例】
【００６１】
以下、本発明を実施例により更に具体的に説明するが、本発明は斯かる実施例に限定されるものではない。
〔実施例１〕
前述した実施形態の吸収性本体１０と同様の構成を有する評価用サンプル、即ち図３（ａ）に示す吸収体４を備えた評価用サンプルを作製し、これを実施例１のサンプルとした。表面シート２として坪量２０ｇ／ｍ２の親水性スパンボンド不織布を用い、裏面シート３として１８ｇ／ｍ２の液難透過性のシートを用いた。吸収体４は、次のようにして作製した。第１吸収層５（上層吸収層５）及び第２吸収層６（下層吸収層６）として、パルプ及び抗菌剤付吸水性ポリマーの組成の各混合積繊体を用いた。パルプとして、フラッフパルプを用いた。また、抗菌剤付吸水性ポリマーは、吸水性ポリマー（商品名「アクアリック」、株式会社日本触媒製）に対して、抗菌剤ピロクトンオラミンを０．１質量％添加して作製した。第１シート７としては、エアスルー不織布（構成繊維：ポリエチレンテレフタレートとポリエチレンの複合繊維  坪量１８ｇ／ｍ２）を、互いに噛み合う一対の凹凸ロール間に挿通して一方向に延びる凹部及び凸部を形成し、その複数の凹部の底部を、第２シート９にヒートシールにより接合したものを用いた。第２シート９として、平坦なエアスルー不織布（構成繊維：構成繊維ポリエチレンテレフタレートとポリエチレンの複合繊維  坪量２５ｇ／ｍ２）を用いた。
【００６２】
第１シート７と第２シート９とが結合した複合シートの第１シート７側の面に、ホットメルト接着剤を塗布し、その接着剤塗布面に、抗菌剤付吸水性ポリマーを下記表１に示す密度となるように均一に散布した。接着剤は、乾燥後の坪量が５ｇ／ｍ２であった。
そして、上層吸収層５を、複合シートの第１シート７側の面に重ねて、ホットメルト接着剤により接合した。次に、複合シートの第２シート９側の面と下層吸収層６の片面とをホットメルト接着剤により接合した。
このようにして得られた、上層吸収層５、第１シート７、第２シート９及び下層吸収層６が一体化されたものをコアラップシート５１，５２で被覆して、寸法が１００ｍｍ×１５０ｍｍの矩形状の吸収体４を得た。コアラップシート５１，５２として、坪量１４ｇ／ｍ２のパルプ繊維からなるティッシュペーパーを用いた。さらに、この吸収体４を、表面シート２及び裏面シート３で被覆することで、寸法が１４０ｍｍ×１９０ｍｍの矩形状の評価用サンプルを得た。
【００６３】
〔比較例１〕
第１シート７及び第２シート９を用いなかった以外は、実施例１と同様にして吸収体４を作製し、この吸収体を用いる以外は、実施例１と同様にして、評価用サンプルを作成した。これを比較例１のサンプルとした。
【００６４】
〔評価〕
実施例及び比較例のサンプルについて、液の拡がり面積、液の拡がり率及び消臭性を、下記方法により評価した。排泄液からの悪臭の発生を抑制する効果はこの消臭性の評価によって示される。その結果を下記表１に示す。
【００６５】
〔液の拡がり面積及び液拡がり率の測定〕
前記実施例１及び比較例１の評価用サンプルに、その中央部に漏斗を用いて５０ｃｃの生理食塩水を注入した。そして、注入３分後に液拡がり面積を測定した。また、比較例１の液拡がり面積を基準（１００％）として、実施例１の液拡がり面積から、液拡がり率を求めた。測定結果を表１に示す。
【００６６】
〔消臭性の評価方法〕
成人男性５名の尿を各１００ｍｌ混合した人尿５００ｍｌを調製した。前記実施例１及び比較例１の各評価用サンプルに人尿５０ｇを吸収させ、容積１．２リットルの密閉容器（商品名「タイトボックスＮｏ．３」、蝶プラ工業株式会社製）中に素早く入れて気密状態にして、３６℃の恒温槽に６時間保管した後に該容器を取り出し、その蓋を開け、容器中の臭いを５名のモニター（臭気判定士の指導を受け６段階臭気強度表示法にのっとって臭気評価が実施できる者）に評価させた。その評価基準は以下の通りである。即ち、臭いの強度を０〜５の評価スコアによる６段階臭気強度表示法に基づいて行った。評価スコアは、「０」無臭、「１」やっと感知できる臭い（検知閾値）、「２」尿臭であることわかるが弱い臭い（認知閾値）、「３」楽に尿臭であると感じられる臭い、「４」強い尿臭、「５」強烈な尿臭を示す。臭いの強度の判定は０．５刻みで行い、５人の評価の平均値を６段階臭気強度表示法による評価として表１に示した。この平均値が小さいほど、消臭性に関して高評価となる。
また、比較例１を基準として、下記の評価基準により消臭性の評価し、その評価結果を表１に示した。
【００６７】
【表１】
2018099203.tif 000003
【符号の説明】
【００６８】
１  尿とりパッド（吸収性物品）
１０  吸収性本体
２  表面シート
３  裏面シート
４  吸収体
５  第１吸収層（上層吸収層）
５０  貫通孔
６  第２吸収層（下層吸収層）
６０  貫通孔
５１  肌対向面側のコアラップシート
５２  非肌対向面側のコアラップシート
７  第１シート
８  抗菌剤
８１  抗菌剤付吸水性ポリマー
９  第２シート
１６  防漏カフ
１６ｃ  弾性部材
２６  サイドシート
Ｆ  前方部
Ｍ  股下部
Ｒ  後方部
Ｘ  横方向
Ｙ  縦方向
Ｚ  厚み方向
【図１】
2018099203.tif 000004
【図２】
2018099203.tif 000005
【図３】
2018099203.tif 000006
【図４】
2018099203.tif 000007
【図５】
2018099203.tif 000008